【事件の表示】
　特願２００９−　３６０１５「流量演算システム、流量演算処理方法およびコリオリ流量計」拒絶査定不服審判事件〔平成２１年　５月１４日出願公開、特開２００９−１０４６７７〕について、次のとおり審決する。
【結　論】
　本件審判の請求は、成り立たない。
【理　由】
第１　手続の経緯
　
　本願は、平成１８年７月２４日に出願した特願２００６−２００２４９号の一部を、平成２１年２月１９日に新たな特許出願としたものである。
　平成２１年７月９日付けで手続補正（以下、「補正１」という。）がなされ、平成２３年１０月２７日付け（発送：同年１１月１日）で補正１を新規事項違反とする理由を含む拒絶理由が通知されたところ、同年１２月２８日付けで特許請求の範囲及び明細書についての補正（以下、補正２という。）がなされるとともに、同日付けで意見書の提出があった。
　平成２４年１月３１日付け（発送：同年２月７日）で補正２を新規事項違反とする理由を含む最後の拒絶理由が通知されたところ、同年４月２日付けで特許請求の範囲及び明細書についての補正（以下、補正３という。）がなされるとともに、同日付けで意見書の提出があった。
　平成２４年５月１４日付け（送達日：同年同月２２日）で補正３を新規事項違反とする補正の却下の決定がなされるとともに、同日付けで補正２が新規事項違反であるとして拒絶査定がなされ、これに対し、同年８月６日に拒絶査定不服審判の請求がなされると同時に特許請求の範囲及び明細書についての補正（以下、「本件補正」という。）がなされた。その後、当審より平成２５年５月１０日付け審尋書により審尋をしたところ、請求人より同年７月１日付け回答書の提出があった。
　
　
第２　補正却下の決定
　
［補正却下の決定の結論］
　本件補正を却下する。
　
［理由］
１　補正の内容
　
（１）本件補正のうち、特許請求の範囲の請求項１についてした補正は、次のとおりである。
　
（本件補正前）
　
「【請求項１】
　検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
　前記流量計本体によって検出される検出量を流量演算可能な状態で入力する上位側入力部と、前記上位側入力部を介して入力される検出量に基づいて流量演算を行う上位側演算部と、前記上位側演算部における流量演算完了毎にタイマ割り込みを発生する上位側タイマ割り込み部と、前記上位側入力部から出力される検出量を前記上位側演算部に出力し前記上位側タイマ割り込み部から出力されるタイマ割り込み信号を入力して前記上位側演算部において演算した流量演算結果を出力する上位側制御部と、前記上位側制御部から出力される流量演算結果を出力する上位側出力部と、からなる上位側ＣＰＵと，
　前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換する流量演算を行う下位側演算部と、前記下位側演算部において行われた流量演算の演算結果を一旦ストアする記憶部と、前記上位側ＣＰＵの上位側タイマ割り込み部によるタイマ割り込みよりも短い予め設定された周期毎でかつ該上位側タイマ割り込み部のタイマ割り込みと非同期にタイマ割り込み信号を発生する下位側タイマ割り込み部と、前記下位側タイマ割り込み部から出力される予め設定された周期毎に発生するタイマ割り込みの発生回数をカウントするカウンタと、前記下位側入力部から出力される流量演算結果を前記下位側演算部に送出し
該下位側演算部において行われた流量演算の演算結果を前記記憶部に送出し
　によって構成し、前記記憶部に記憶してあるパルス信号に変換された流量演算結果を前記上位側タイマ割り込み部から出力されるタイマ割り込み信号の入力毎に時系列的に連続したパルス列として送出することを特徴とする流量演算システム。」
（下線は当審が付した。）
　
（本件補正後）　
　
「【請求項１】
　検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
　前記流量計本体によって検出される検出量を流量演算可能な状態で入力する上位側入力部と、前記上位側入力部を介して入力される検出量に基づいて流量演算を行う上位側演算部と、前記上位側演算部における流量演算完了毎にタイマ割り込みを発生する上位側タイマ割り込み部と、前記上位側入力部から出力される検出量を前記上位側演算部に出力し前記上位側タイマ割り込み部から出力されるタイマ割り込み信号を入力して前記上位側演算部において演算した流量演算結果を出力する上位側制御部と、前記上位側制御部から出力される流量演算結果を出力する上位側出力部と、からなる上位側ＣＰＵと，
　前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換す
る演
上位側出力部
た演
パルス信号に変換された流量
前記上位側出力部において行われた演算の
　によって構成し、前記記憶部に記憶してある
前記上位側出力部において行われた演算の
前記下位側演算部においてパルス信号に変換して
（下線は補正箇所。）
　
（２）また、本件補正のうち、特許請求の範囲の請求項３についてした補正は、次のとおりである。
　
（本件補正前）　
　
「【請求項３】
　検出手段により検出された流量計本体からの検出量に基づき流量演算処理を行い流量演算結果を流量データとしてパルス信号に変換しパルス出力として送出するパルス出力処理を行う流量演算処理方法において，
　システムに電源を投入してシステムを初期化し、流量計本体からの検出量に基づき最初の流量演算処理を行い該流量演算処理の完了までの周期に基づいて流量演算周期Ｔｘ毎に上位側タイマ割り込みを発生する上位側タイマ割り込み発生周期を設定し、前記上位側タイマ割り込み発生周期よりも短く該上位側タイマ割り込みに非同期でタイマ割り込み信号を発生する下位側タイマ割り込み発生周期Ｔｕを設定する第１のステップと，
　前記流量演算処理の終了のときに発生する上位側タイマ割り込み信号によって流量演算処理を行った流量演算結果をパルス信号に変換してパルス出力を開始するための移相時間に相当する割り込み回数Ｎａを予め設定する第２のステップと，
　前記流量演算周期Ｔｘ毎に発生する上位側タイマ割り込み信号によって該流量演算周期Ｔｘ間に流量演算して得られた演算結果Ｑｍを一旦ストアする第３のステップと，
　前記下位側タイマ割り込み発生周期Ｔｕ毎に発生する前記下位側タイマ割り込みのカウント数Ｎａが予め設定した数に達したときに、前記一旦ストアされている流量演算結果Ｑｍをパルス出力送出時間内に出力する第４のステップと，
　前記流量演算結果Ｑｍをパルス出力送出時間内に出力した後、前記上位側タイマ割り込み信号によって前記下位側タイマ割り込み周期Ｔｕ毎に発生する下位側タイマ割り込み数をカウントするカウンタの値をゼロクリアし、再カウントを開始する第５のステップと，
　前記第３のステップから第５のステップを繰り返して行う第６のステップと，
　からなることを特徴とする流量演算処理方法。」
　
（本件補正後）
　
「【請求項３】
　検出手段により検出された流量計本体からの検出量に基づき流量演算処理を行い流量演算結果を流量データとしてパルス信号に変換しパルス出力として送出するパルス出力処理を行う流量演算処理方法において，
　システムに電源を投入してシステムを初期化し、流量計本体からの検出量に基づき最初の流量演算処理を行い該流量演算処理の完了までの周期に基づいて各流量演算周期Ｔｘ毎に発生する上位側タイマ割り込みの発生周期を設定し、前記上位側タイマ割り込み発生周期よりも短く該上位側タイマ割り込みに非同期でタイマ割り込み信号を発生する下位側タイマ割り込み発生周期Ｔｕを設定する第１のステップと，
　前記流量演算処理の終了のときに発生する上位側タイマ割り込み信号によって流量演算処理を行った流量演算結果をパルス信号に変換してパルス出力を開始するための移相時間に相当する割り込み回数Ｎａを予め設定する第２のステップと，
　前記流量演算周期Ｔｘ毎に発生する上位側タイマ割り込み信号によって該流量演算周期Ｔｘ間に流量演算して得られた演算結果Ｑｍを一旦ストアする第３のステップと，
　前記下位側タイマ割り込み発生周期Ｔｕ毎に発生する前記下位側タイマ割り込みのカウント
数が
割り込み回数Ｎａ
　
前記上位側ＣＰＵの上位側演算部において前記流量演算周期Ｔｘ毎に順次演算処理され順次パルス信号に変換される各
、該各流量演算結果Ｑｍ毎に予め設定した
順次
、前記各流量演算結果Ｑｍが出力された
に発生する
　前記第３のステップから第５のステップを繰り返して行う第６のステップと，
　からなることを特徴とする流量演算処理方法。」
（下線は補正箇所。）
　
２　新規事項違反について
　
（１）請求項１について 
ア　補正の内容
　本件補正により、請求項１に係る発明は、「前記下位側入力部から出力される流量演算結果を前記下位側演算部に送出し該下位側演算部においてパルス信号に変換された流量演算結果を前記記憶部に送出し前記下位側タイマ割り込み部から出力されるタイマ割り込み信号を入力して前記カウンタに出力し該カウンタにおけるカウント値が予め設定した回数に達したときに前記記憶部に記憶してある前記上位側出力部において行われた演算の演算結果を出力する下位側出力部」との発明特定事項を備えることにより、「下位側出力部」が「該下位側演算部においてパルス信号に変換された流量演算結果を前記記憶部に送出」するとの技術事項１を有することになった。「パルス信号に変換された流量演算結果」という文言は、本件補正前にはなく、本件補正により追加されたものである。
　
イ　当初明細書等の記載事項
　本件補正により導入された上記技術事項１に関して、本願の願書に最初に添付した明細書、特許請求の範囲及び図面（以下、「当初明細書等」という。）には、次のとおり記載されている。なお、下線は当審が付した。
　
（ａ）「【００７０】
　一回目の上位側タイマ割り込み（１）が発生すると、これと同時に二回目の流量演算周期Ｔｘ（２）に入る。
上位側ＣＰＵ３４の流量演算処理３６では、新たに流量演算が行われる。
二回目の流量演算周期Ｔｘ（２）での流量演算の演算結果は、一旦下位側ＣＰＵ３５の記憶部４６にストアされる。
【００７１】
　
演算結果のストアに関しては、
下位側ＣＰＵ３５のパルス出力処理３７において行われる
【００７２】
　パルス出力送出時間９９ｍｓにて送出された一回目のパルス出力が終了すると、これと同時に
さきほど一旦ストアされた、二回目の流量演算周期Ｔｘ（２）での演算結果がパルス出力処理３７により二回目のパルス出力として送出される。
　
（ｂ）「【００７５】
　以降、この処理が繰り返される。すなわち、二回目のタイマ割り込み（２）が発生すると、これと同時に三回目の流量演算周期Ｔｘ（３）に入る。また、カウンタ４７がゼロクリア（０リセット）されて最初から再度カウントを開始する。上位側ＣＰＵ３４の流量演算処理３６では、新たに流量演算が行われる。この三回目の流量演算周期Ｔｘ（３）での流量演算が完了すると、三回目のタイマ割り込み（３）が発生する。この時、さきほどパルス出力送出時間９９ｍｓ又は１０１ｍｓにて送出されたパルス出力は終了してないことから、
三回目の流量演算周期Ｔｘ（３）での流量演算の演算結果は、下位側ＣＰＵ３５のパルス出力処理３７において所定の変換及び算出が行われた後、一旦ストアされる。
　
（ｃ）「【００７７】
　三回目のタイマ割り込み（３）が発生すると、これと同時に四回目の流量演算周期Ｔｘ（４）に入る。また、カウンタ４７がゼロクリア（０リセット）されて最初から再度カウントを開始する。上位側ＣＰＵ３４の流量演算処理３６では、新たに流量演算が行われる。この四回目の流量演算周期Ｔｘ（４）での流量演算が完了すると、特に図示しないが、四回目のタイマ割り込み（４）が発生する。この時、さきほどパルス出力送出時間９９ｍｓ又は１０１ｍｓにて送出されたパルス出力は終了してないことから、
四回目の流量演算周期Ｔｘ（４）での流量演算の演算結果は、下位側ＣＰＵ３５のパルス出力処理３７において所定の変換及び算出が行われた後、一旦ストアされる。
　
（ｄ）「【００８１】
（２）パルス出力を開始するための移相時間に相当する所定の割り込み回数Ｎａ（整数）がセットされる。また、流量演算周期Ｔｘの割り込みを受けてこの流量演算周期Ｔｘでの演算結果（Ｑｍ）が一旦ストアされタイムディレイされる。この後、一回目のパルス出力送出時間Ｔａ（以下の規定参照）がセットされて一回目のパルス出力の処理が実行される。
パルス出力の処理は、
先に得られて一旦ストアされた演算結果から、パルス信号への変換やパルス出力の送出に必要なパルス数、パルス幅等が算出されてパルス信号の出力・送出が行われる。
　
（ｅ）「【００８３】
　（４）設定された周期となるパルス出力送出時間Ｔａ又はＴｂと、
先に得られて一旦ストアされた演算結果（Ｑｍ）から、パルス信号への変換やパルス出力の送出に必要なパルス数、パルス幅等が算出されてパルス信号の出力・送出が行われる。
　
（ｆ）「【０１０３】
　図８及び図１１において、次に、ステップＳ１６にて下位側タイマ割り込みの発生があるか否かが判断される。ステップＳ１６は下位側タイマ割り込みの発生があるまで繰り返される。下位側タイマ割り込みの発生があると（ステップＳ１６でＹ）、次にステップＳ１７にてカウンタＡの数が一つカウントされる（＋１）。次に、ステップＳ１８にて上位側ＣＰＵ３４からの流量データの入力有無が判断される。ステップＳ１８にて流量データの入力がある場合には（ステップＳ１８でＹ）、上位側ＣＰＵ３４において上位側タイマ割り込みの発生があることから、ステップＳ１９にてカウンタＡがゼロクリアされる（カウンタＡに０が入力される）とともに、ステップＳ２０にて、
入力された流量データが一旦ストアされる。
　
（ｇ）「【０１１２】
　二回目のパルス出力が開始されると、ステップＳ１６からの処理が再度繰り返される。すなわち、ステップＳ１６にて下位側タイマ割り込みの発生があるか否かが判断される。下位側タイマ割り込みの発生があると（ステップＳ１６でＹ）、次にステップＳ１７にてカウンタＡの数が一つカウントされる（＋１）。次に、ステップＳ１８にて上位側ＣＰＵ３４からの流量データの入力有無が判断される。ステップＳ１８にて流量データの入力がある場合には（ステップＳ１８でＹ）、ステップＳ１９にてカウンタＡがゼロクリアされ
るとともに、ステップＳ２０にて、
入力された流量データが一旦ストアされる。
　
ウ　検討
　確かに、明細書の段落【００７５】、【００７７】（前記記載（ｂ）、（ｃ）参照）には、流量演算周期での流量演算の演算結果は、下位側ＣＰＵ３５のパルス出力処理３７において所定の変換及び算出が行われた後、一旦ストアされる旨記載されているが、当該「所定の変換及び算出」することの中に「パルス信号に変換」することが含まれるということは記載されていないし、また、当該「所定の変換及び算出」に「パルス信号に変換」することが含まれるとすると、一旦ストアされた演算結果から、パルス信号への変換等に必要な量の算出を行うとする段落【００８１】、【００８３】（前記記載（ｄ）、（ｅ）参照）の記載と整合しないから、当該「所定の変換及び算出」することの中に「パルス信号に変換」することが含まれるとはいえない。
　
　そうすると、前記記載（ａ）ないし（ｇ）及び【図１１】の記載から、当初明細書等には、
（ア）上位側ＣＰＵ３４の流量演算処理３６で行われた流量演算の結果は、一旦下位側ＣＰＵ３５の記憶部４６にストアされる、
（イ）パルス出力の処理は、パルス出力送出時間と、先に得られて一旦ストアされた演算結果から、パルス信号への変換やパルス出力の送出に必要なパルス数、パルス幅等が算出されてパルス信号の出力・送出が行われる、
（ウ）下位側ＣＰＵ３５の記憶部４６にストアされる流量演算結果は、パルス信号に変換されたものではない、
　ことが記載されていると認められる。
　すなわち、当初明細書等には、記憶部４６に送出し、ストアするものが、上位側ＣＰＵ３４の流量演算処理３６で得られた、パルス信号に変換されていない流量演算結果であることは記載されていたと認められるものの、記憶部４６に送出し、ストアするものが、下位側演算部においてパルス信号に変換された流量演算結果であることまで記載されていたとは認められない。
　
　そして、前記技術事項１を有し、パルス信号に変換された流量演算結果が記憶部にストアされることにより、パルス信号に変換されていない流量演算結果が記憶部に送出され、ストアされる場合と比べて、パルス信号の出力・送出に要する時間を短くすることができる、という技術的意義があると認められる。
　
　してみると、当初明細書等のすべての記載を総合することにより導かれる技術事項は、「上位側ＣＰＵの流量演算処理で得られた、パルス信号に変換されていない流量演算結果を記憶部に送出する」ことにとどまるところ、本件補正により、「下位側出力部」が「下位側演算部においてパルス信号に変換された流量演算結果を記憶部に送出する」との新たな技術事項が導入されることとなったものと認められる。
　
　なお、本件補正後の請求項１の「下位側出力部」は「下位側制御部」の誤記だと考えられるが、「下位側制御部」が「下位側演算部においてパルス信号に変換された流量演算結果を記憶部に送出する」ことも、新たな技術事項であることは、前記の検討より明らかである。
　
エ　請求人の主張について
　請求人は、回答書第１０頁〜第１１頁において、「したがいまして、請求項１に記載の発明に対して段落［００３９］と段落［００４０］を引用して 『演算結果のパルス信号への変換は、上位側ＣＰＵにて演算された流量演算結果を記憶部に一旦ストア（すなわち、記憶部に記憶）された後、記憶部から出力された流量演算結果をパルス出力タスク２０にてパルス信号に変換されることは、明らかであるから、請求項１に係る当該「該下位側演算部においてパルス信号に変換された流量演算結果を前記記憶部に送出し」の記載は、出願当初明細書等において記載されていなかった事項である。』とする審査官の認定は、誤りと言わざるを得ません。」と主張するが、請求人も、審判請求書第１１頁からの「ｂ）請求項１に対する平成２４年　１月３１日付け拒絶理由への意見」 において、請求項１に係る発明について、段落【００３９】の記載を用いて説明している。
　
　なお、請求人は、審判請求書第１０頁において、本件補正の根拠について、実質的に説明していないし、回答書においても、「下位側出力部」が「該下位側演算部においてパルス信号に変換された流量演算結果を前記記憶部に送出」することが、当初明細書等のどこに記載されているのかについて説明していない。
　また、補正１後の請求項１にも「該下位側演算部においてパルス信号に変換された流量演算結果を前記記憶部に送出し‥‥‥下位側出力部」という本件補正後の請求項１と同じ記載があり、平成２３年１０月２７日付け拒絶理由通知の理由１（新規事項違反）で、当該記載事項が当初明細書等に記載されていない旨指摘されたところ、請求人は、平成２３年１２月２８日付け意見書第３頁において、「補正後の請求項１に対する審査官殿が『記憶部に「パルス信号に変換された流量演算結果」をストア（記憶）するという事項は、出願当初の明細書、特許請求の範囲又は図面には記載されていない。』としている点につきましては、その通りかと考えております。」と述べており、「該下位側演算部においてパルス信号に変換された流量演算結果を前記記憶部に送出し‥‥‥下位側出力部」とのいう技術事項が当初明細書等に記載されていないことを認めている。
　
オ　補正案について
　請求人は、回答書において、請求項１の補正案を提示しているが、当該補正案には、「該下位側演算部においてパルス信号に変換された流量演算結果を前記記憶部に送出し」、「該下位側演算部においてパルス信号に変換して記憶部に一旦ストアし」、「前記記憶部にストアされているパルス信号を時系列的に連続したパルス列として前記下位側出力部から送出する」等の当初明細書等に記載されていない技術事項が含まれているため、これも採用することができない。
　
カ　むすび
　以上のとおり、本件補正のうち、特許請求の範囲の請求項１についてした補正は、当初明細書等の記載を総合することにより導かれる技術事項との関係において、新たな技術事項を導入するものであるから、本件補正は、当初明細書等の記載の範囲内においてしたものとはいえない。
　
（２）請求項３について
ア　補正の内容
　本件補正により、請求項３に係る発明は、「前記上位側ＣＰＵの上位側演算部において前記流量演算周期Ｔｘ毎に順次演算処理され順次パルス信号に変換される各流量演算結果Ｑｍを、該各流量演算結果Ｑｍ毎に予め設定したパルス出力送出時間内に順次出力し、前記各流量演算結果Ｑｍが出力された後に発生する前記上位側タイマ割り込み信号によって前記下位側タイマ割り込み周期Ｔｕ毎に発生する下位側タイマ割り込み数をカウントするカウンタの値をゼロクリアし、再カウントを開始する第５のステップ」との発明特定事項を備えることにより、「前記上位側ＣＰＵの上位側演算部において前記流量演算周期Ｔｘ毎に順次演算処理され順次パルス信号に変換される各流量演算結果Ｑｍ」との技術事項２を有することになった。これは、本件補正前にはなく、本件補正により追加されたものである。
　
イ　当初明細書等の記載事項
　本件補正により導入された上記技術事項２に関して、当初明細書等には、次のとおり記載されている。なお、下線は当審が付した。
　
（ａ）「【００３９】
　一回目のタイマ割り込み（１）が発生すると、これと同時に二回目の流量演算周期Ｔｘ（２）に入る。
流量演算処理タスク１９では、流量演算が行われる。
　
（ｂ）「【００４０】
　パルス出力送出時間ｔ１にて送出された一回目のパルス出力が終了すると、これと同時にさきほど一旦ストアされた二回目の流量演算周期Ｔｘ（２）での
演算結果が、パルス出力処理タスク２０においてパルス信号に変換され、
　
（ｃ）「【００４２】
　パルス出力送出時間ｔ２にて送出された二回目のパルス出力が終了すると、これと同時に一旦ストアされた三回目の流量演算周期Ｔｘ（３）での
演算結果がパルス出力処理タスク２０においてパルス信号に変換され、
　
（ｄ）「【００４４】
　パルス出力送出時間ｔ３にて送出された三回目のパルス出力が終了すると、これと同時に一旦ストアされた四回目の流量演算周期Ｔｘ（４）での
演算結果がパルス出力処理タスク２０においてパルス信号に変換され、
　
（ｅ）「【００５６】
　
下位側ＣＰＵ３５は、上位側ＣＰＵ３４からの流量データをパルス信号に変換して
　
（ｆ）「【００６５】
　流量演算システム３３は、このシステムに電源が投入（ＯＮ）されてシステムの初期化が完了すると、流量計本体１２からの検出値の入力に基づいて
流量演算が上位側ＣＰＵ３４の上位側演算部３８にて行われる。
、上位側ＣＰＵ３４により流量演算処理３６が行われる。
　
ウ　検討
　前記記載（ａ）ないし（ｆ）及び【図１１】ないし【図１４】の記載から、当初明細書等には、
（ア）上位側ＣＰＵ３４の上位側演算部において流量演算が行われる、
（イ）下位側ＣＰＵ３５は、上位側ＣＰＵ３４からの流量演算結果である流量データをパルス信号に変換する、
　ことが記載されていると認められる。
　すなわち、当初明細書等には、上位側ＣＰＵの上位側演算部において流量演算を行い、下位側ＣＰＵにおいて各流量演算結果をパルス信号に変換することは記載されていたと認められるものの、上位側ＣＰＵの上位側演算部において各流量演算結果をパルス信号に変換することまで記載されていたとは認められない。
　
　そして、前記技術事項２を有し、流量演算結果Ｑｍが一旦記憶部にストアされることにより、上位側ＣＰＵの上位側演算部において各流量演算結果Ｑｍがパルス信号に変換されないで一旦記憶部にストアされる場合と比べて、パルス信号の出力・送出に要する時間を短くすることができる、という技術的意義があると認められる。
　
　してみると、当初明細書等のすべての記載を総合することにより導かれる技術事項は、「下位側ＣＰＵにおいてパルス信号に変換される流量演算結果」にとどまるところ、本件補正により、「前記上位側ＣＰＵの上位側演算部において前記流量演算周期Ｔｘ毎に順次演算処理され順次パルス信号に変換される各流量演算結果Ｑｍ」との新たな技術事項が導入されることとなったものと認められる。
　
エ　請求人の主張について
　請求人は、回答書第１２頁〜第１３頁において、「しかし、この請求項３の第６段落（第５のステップの段）におけます、『前記上位側ＣＰＵの上位側演算部において前記流量演算周期Ｔｘ毎に順次演算処理され順次パルス信号に変換される各流量演算結果Ｑｍを、』という記載からは、審査官が指摘しますように、『出願当初明細書等には、「上位側ＣＰＵ」にて流量演算結果Ｑｍをパルス信号に変換することが記載されていないから、当該記載は、出願当初明細書等において記載されていなかった事項である。』と認定されてもやむを得ないと考えます。」と述べており、「前記上位側ＣＰＵの上位側演算部において前記流量演算周期Ｔｘ毎に順次演算処理され順次パルス信号に変換される各流量演算結果Ｑｍ」という技術事項が当初明細書等に記載されていないことを認めている。
　
　なお、請求人は、審判請求書第１０頁において、本件補正の根拠について、実質的に説明していない。
　また、却下された補正３後の請求項３にも「前記上位側ＣＰＵの上位側演算部において前記流量演算周期Ｔｘ毎に順次演算処理され順次パルス信号に変換される各流量演算結果Ｑｍ」という本件補正後の請求項３と同じ記載があり、平成２４年５月１４日付け補正の却下の決定の理由で、当該記載事項が当初明細書等に記載されていない旨指摘されている。
　
オ　補正案について
　請求人は、回答書において、請求項３の補正案を提示している。
　確かに、請求人は、「前記上位側ＣＰＵの上位側演算部において前記流量演算周期Ｔｘ毎に順次演算処理され順次パルス信号に変換される各流量演算結果Ｑｍ」を「前記上位側ＣＰＵの上位側演算部において前記流量演算周期Ｔｘ毎に順次演算処理され前記下位側ＣＰＵの下位側演算部において順次パルス信号に変換される各流量演算結果Ｑｍ」と補正し、新規事項違反との拒絶理由を解消しようとしているが、当該補正案には、「前記パルス出力の送出処理が継続している間に前記流量演算周期での流量演算の演算結果をパルス出力に変換して記憶し」という当初明細書等に記載されていない事項が新たに導入されているため、これも採用することができない。
　
カ　むすび
　以上のとおり、本件補正のうち、特許請求の範囲の請求項３についてした補正は、当初明細書等の記載を総合することにより導かれる技術事項との関係において、新たな技術事項を導入するものであるから、本件補正は、当初明細書等の記載の範囲内においてしたものとはいえない。
　
（３）まとめ
　以上、前記（１）、（２）において検討したように、本件補正は、特許法第１７条の２第３項の規定に違反するものであるから、同法第１５９条第１項において読み替えて準用する同法第５３条第１項の規定により却下すべきものである。
　
　
第３　補正２について
　
　本件補正は前記のとおり却下されたので、補正２が特許法第１７条の２第３項に規定する要件を満たすものであるか否かについて検討する。
　
１　補正２のうち、特許請求の範囲の請求項１についてした補正は、次のとおりである。
　
（補正２前）
「【請求項１】
　検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
　前記流量計本体によって検出される検出量を流量演算可能な状態で入力する上位側入力部と、前記上位側入力部を介して入力される検出量に基づいて流量演算を行う上位側演算部と、前記上位側演算部における流量演算完了毎にタイマ割り込みを発生する上位側タイマ割り込み部と、前記上位側入力部から出力される検出量を前記上位側演算部に出力し前記上位側タイマ割り込み部から出力されるタイマ割り込み信号を入力して前記上位側演算部において演算した流量演算結果を出力する上位側制御部と、前記上位側制御部から出力される流量演算結果を出力する上位側出力部と、からなる上位側ＣＰＵと，
　前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換する流量演算を行う下位側演算部と、
前記下位側演算部においてパルス信号に変換された流量演算結果を一旦ストアする記憶部
該下位側演算部においてパルス信号に変換された流量演算結果を前記記憶部に送出し
　によって構成し、
前記記憶部に記憶してあるパルス信号に変換された流量演算結果
（下線は当審が付した。）
　
（補正２後）
「【請求項１】
　検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
　前記流量計本体によって検出される検出量を流量演算可能な状態で入力する上位側入力部と、前記上位側入力部を介して入力される検出量に基づいて流量演算を行う上位側演算部と、前記上位側演算部における流量演算完了毎にタイマ割り込みを発生する上位側タイマ割り込み部と、前記上位側入力部から出力される検出量を前記上位側演算部に出力し前記上位側タイマ割り込み部から出力されるタイマ割り込み信号を入力して前記上位側演算部において演算した流量演算結果を出力する上位側制御部と、前記上位側制御部から出力される流量演算結果を出力する上位側出力部と、からなる上位側ＣＰＵと，
　前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換する流量演算を行う下位側演算部と、前記下位側演算部において
行われた流量演算の
行われた流量演算の
る流
　によって構成し、前記記憶部に記憶してあるパルス信号に変換された流量演算結果を前記上位側タイマ割り込み部から出力されるタイマ割り込み信号の入力毎に時系列的に連続したパルス列として送出することを特徴とする流量演算システム。」
（下線は補正箇所。）
　
２　検討
　補正２により、請求項１に係る発明は、「前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換する流量演算を行う下位側演算部と、前記下位側演算部において行われた流量演算の演算結果を一旦ストアする記憶部と、前記上位側ＣＰＵの上位側タイマ割り込み部によるタイマ割り込みよりも短い予め設定された周期毎でかつ該上位側タイマ割り込み部のタイマ割り込みと非同期にタイマ割り込み信号を発生する下位側タイマ割り込み部と、前記下位側タイマ割り込み部から出力される予め設定された周期毎に発生するタイマ割り込みの発生回数をカウントするカウンタと、前記下位側入力部から出力される流量演算結果を前記下位側演算部に送出し該下位側演算部において行われた流量演算の演算結果を前記記憶部に送出し前記下位側タイマ割り込み部から出力されるタイマ割り込み信号を入力して前記カウンタに出力し該カウンタにおけるカウント値が予め設定した回数に達したときに前記記憶部に記憶してある流量演算結果を出力する下位側出力部と、からなる下位側ＣＰＵ」及び「前記記憶部に記憶してあるパルス信号に変換された流量演算結果を前記上位側タイマ割り込み部から出力されるタイマ割り込み信号の入力毎に時系列的に連続したパルス列として送出する」という発明特定事項を備えることにより、「前記下位側演算部において行われた流量演算の演算結果を一旦ストアする記憶部」との技術事項３、「下位側出力部」が「該下位側演算部において行われた流量演算の演算結果を前記記憶部に送出」するとの技術事項４、「前記記憶部に記憶してあるパルス信号に変換された流量演算結果」との技術事項５を有することになった。
　補正２後の請求項１に係る発明において、下位側演算部で行われる流量演算は、上位側ＣＰＵの上位側出力部から出力される流量演算結果に基づいてパルス信号に変換するものであるから、前記技術事項３及び４は、それぞれ「前記下位側演算部においてパルス信号に変換された流量演算結果を一旦ストアする記憶部」、「下位側出力部」が「該下位側演算部においてパルス信号に変換された流量演算結果を前記記憶部に送出」すること、を意味することになる。
　
　前記技術事項３ないし５に関し、下位側演算部においてパルス信号に変換された流量演算結果を記憶部に送出し、一旦記憶部にストアすることは、前記「第２　２（１）ウ　検討」において既に説示したとおり、当初明細書等に記載されていない。
　
　そして、前記技術事項３ないし５を有することにより、パルス信号に変換されていない流量演算結果が記憶部に送出され、ストアされる場合と比べて、パルス信号の出力・送出に要する時間を短くすることができる、という技術的意義があると認められる。
　
　よって、補正２により、「前記下位側演算部において行われた流量演算の演算結果を一旦ストアする記憶部」、「下位側出力部」が「該下位側演算部において行われた流量演算の演算結果を前記記憶部に送出」すること、「前記記憶部に記憶してあるパルス信号に変換された流量演算結果」との新たな技術事項が導入されることとなったものと認められる。
　
　なお、補正２後の請求項１の「下位側出力部」は「下位側制御部」の誤記だと考えられるが、「下位側制御部」が「下位側演算部においてパルス信号に変換された流量演算結果を記憶部に送出する」ことも、新たな技術事項であることは、前記の検討より明らかである。
　
　よって、補正２のうち、特許請求の範囲の請求項１についてした補正は、当初明細書等の記載を総合することにより導かれる技術事項との関係において、新たな技術事項を導入するものであるから、補正２は、当初明細書等の記載の範囲内においてしたものとはいえない。
　
３　請求人の主張について
　請求人は、審判請求書第１３頁において、「ただ、審査官殿が指摘なされております、『前記下位側演算部において行われた流量演算の演算結果』という記載、『該下位側演算部において行われた流量演算の演算結果』という記載、『記憶部に記憶してあるパルス信号に変換された流量演算結果』という記載につきましては、審査官殿が指摘なされておりますように、出願当初の明細書、特許請求の範囲又は図面には記載されておりません。」と述べており、「前記下位側演算部において行われた流量演算の演算結果を一旦ストアする記憶部」、「下位側出力部」が「該下位側演算部において行われた流量演算の演算結果を前記記憶部に送出」すること、「前記記憶部に記憶してあるパルス信号に変換された流量演算結果」との技術事項が当初明細書等に記載されていないことを認めている。
　
４　むすび
　以上のとおり、補正２は、特許法第１７条の２第３項に規定する要件を満たしていないから、本願は、拒絶すべきものである。
　よって、結論のとおり審決する。